(57)【要約】【課題】  装置を大型化することなく超広角まで調整可能なストロボ装置を提供する。【解決手段】光源１と本体反射面２の間の光軸上の相対距離を調整することにより、光源１からの本体反射面２を介した反射光の照射対象に対する照射角度を調整可能としたストロボ装置であって、光源１の軸芯に直交する方向の本体反射面２の断面形状が略半楕円形に形成され、かつ、光源１の軸芯に沿う本体反射面２の長手方向の平面視の断面形状が光源１側に向けて中凸状に湾曲して形成され、かつ、本体反射面２の長手方向の中央部から両側に向けて本体反射面２の楕円の径が拡大されるように形成される。【選択図】  図１
2007272029.tif 000002
【特許請求の範囲】
【請求項１】
閃光を発する軸状の光源と、前記光源からの閃光を照射対象に向けて反射するための本体反射面を有する反射傘本体と、前記本体反射面の両側開口部を閉塞するように配設される側方反射面を有する側方反射体と、を備え、前記光源と本体反射面の間の光軸上の相対距離を調整することにより、前記光源からの前記本体反射面を介した反射光の前記照射対象に対する照射角度を調整可能としたストロボ装置であって、
前記光源の軸芯に直交する方向の前記本体反射面の断面形状が略放物線形状に形成され、かつ、前記光源の軸芯に沿う前記本体反射面の長手方向の平面視の断面形状が前記光源側に向けて中凸状に湾曲して形成されることを特徴とするストロボ装置。
【請求項２】
前記本体反射面の長手方向の中央部から両側に向けて前記本体反射面の放物線形状が拡大されるように形成されることを特徴とする請求項１に記載のストロボ装置。
【請求項３】
前記本体反射面は、連続した曲面状に形成されることを特徴とする請求項１又は２に記載のストロボ装置。
【請求項４】
前記本体反射面は、該本体反射面の長手方向の中央部で折曲されて該長手方向に直線状に形成されることを特徴とする請求項１又は２に記載のストロボ装置。
【発明の詳細な説明】
【技術分野】
【０００１】
本発明は、例えば、ズーム機能を備えカメラ等の撮像装置に設けられるストロボ装置に係り、特に、照射対象に対する照射角度の調整幅を広く得られるようにしたストロボ装置に関する。
【背景技術】
【０００２】
ズーム機能を備えたカメラ等には、被写体に対する照射角度を可変に調整できるストロボ装置が搭載されることが多い。例えば、テレ時には光源と反射傘の反射面とを接近させて照射角度を絞り込み、ワイド時には光源と反射面を離間させて照射角度を拡大するように、反射面と光源の相対位置を調整することによって照射角度を可変に調整できるようにしたストロボ装置が提案されている（例えば、特許文献１参照）。
【０００３】
また、反射傘に対する光源の相対位置と共に、フレネルレンズの位置をも可変に調整できるようにしたストロボ装置も提案されている（例えば、特許文献２参照）。このストロボ装置は、ワイド時にはフレネルレンズを反射傘前面の開口部に配置して光源を反射傘から離間させ、テレ時には光源を反射傘に接近させると共に、フレネルレンズを開口部から前方に（照射対象側に）移動させるように構成され、照射角を決定する要素が多くなるため照射効率を向上させるための設計の自由度が向上し照射効率の向上が容易になるとされている。
【特許文献１】特開昭５５−１２９３２６号公報
【特許文献２】特開平２−２９１５３８号公報
【発明の開示】
【発明が解決しようとする課題】
【０００４】
しかし、従来例の前者では、反射傘の反射面の断面形状が、光源の軸芯に沿う方向に同一形状に形成されているため、該反射面に対して光源の相対位置を変化させても光の反射角の変化は少ないため照射角度の調整幅を広く得ることができなかった。また、後者では、テレ時にフレネルレンズを開口部から前方に移動させるためのスペースが必要とされるため、装置全体が嵩高くなるという問題があった。また、いずれの従来例においても、照射角度の調整幅をさらに広くするためには、フレネルレンズの前面にワイドパネル等のオプションパネルを別途装着する必要があるが、このようなオプションパネルの設置はユーザーが手作業で行わなければならず、装着忘れやオプションパネルの紛失、破損等の心配があった。
【０００５】
本発明は、このような実情に鑑みてなされ、装置を大型化することなく、ワイドパネル等のオプションパネルが不要で、超広角まで調整可能なストロボ装置を提供することを目的とする。
【課題を解決するための手段】
【０００６】
（１）本発明のストロボ装置は、閃光を発する軸状の光源と、前記光源からの閃光を照射対象に向けて反射するための本体反射面を有する反射傘本体と、前記本体反射面の両側開口部を閉塞する側方反射面を有する側方反射体と、を備え、前記光源と本体反射面の間の光軸上の相対距離を調整することにより、前記光源からの前記本体反射面を介した反射光の前記照射対象に対する照射角度を調整可能としたストロボ装置であって、
前記光源の軸芯に直交する方向の前記本体反射面の断面形状が略放物線形状に形成され、かつ、前記光源の軸芯に沿う前記本体反射面の長手方向の平面視の断面形状が前記光源側に向けて中凸状に湾曲して形成されることを特徴とする。
【０００７】
このような構成によれば、本体反射面の長手方向の平面視の断面形状が光源側に向けて中凸状に湾曲して形成されるので、光源を本体反射面に接近させた時と離間させた時の光の反射角の変化が大になるため照射角度の調整可能幅が大になり、ワイド時に充分な照射角度（超広角）を得られるような設計が可能となる。また、テレ時には照射角度を充分に絞り込むことができるため、フレネルレンズを移動させる必要がなくなり装置を大型化しなくてもよく、また、ワイドパネル等のオプションパネルなしで照射角度を超広角まで対応できるので、オプションパネルの装着忘れ等の弊害がなくなる。
（２）前記本体反射面の長手方向の中央部から両側に向けて前記本体反射面の放物線形状が拡大されるように形成されてもよい。このようにすれば、ワイド時には、より一層広い照射角度を得られる。
（３）前記本体反射面は、連続した曲面状に形成されてもよい。このようにすれば、照射角度の幅を無段階連続的に変化させることができる。
（４）前記本体反射面は、該本体反射面の長手方向の中央部で折曲されて該長手方向に直線状に形成されてもよい。このようにすれば、金型の設計、製作を含めた反射傘本体の製作が容易となり、より安価に提供することができる。
【発明の効果】
【０００８】
本発明のストロボ装置は、本体反射面の長手方向の平面視の断面形状が光源側に向けて中凸状に湾曲して形成されるので、光源を本体反射面に接近させた時と離間させた時の照射角度の調整可能幅が大になり、ワイド時に充分な照射角度（超広角）を得ることができ、また、テレ時には照射角度を充分に絞り込むことができる。このような反射傘本体を装置に収納するために特に余分なスペースを必要としないため装置の大型化を免れる。また、ワイドパネル等のオプションパネルなしで照射角度を超広角まで対応できるので、オプションパネルの装着忘れ等の弊害がなくなる。
【発明を実施するための最良の形態】
【０００９】
以下に、本発明の実施の形態に係るストロボ装置について詳細に説明する。
〔実施の形態１〕
図１は反射傘の斜視図、図２（ａ）は反射傘の平面図、（ｂ）は正面図、（ｃ）は側面図、（ｄ）は背面図である。図３（ａ）は図２（ｂ）のＡ−Ａ線矢視断面、（ｂ）は図２（ｂ）のＢ−Ｂ線矢視断面、図４（ａ）はストロボ装置のテレ時の駆動機構を含む要部側面図、（ｂ）はワイド時の駆動機構を含む要部側面図である。これらの図に示すように、このストロボ装置は、閃光を発するキセノン（Ｘｅ）等からなる軸状の光源１と、この光源１からの閃光を照射対象（図示省略）に向けて反射するための本体反射面２を有する反射傘本体３と、その本体反射面２の両側開口部を閉塞する側方反射面４を有する側方反射体５と、を備え、光源１と本体反射面２の間の光軸上の相対距離を調整することにより、光源１からの本体反射面２を介した反射光の照射対象に対する照射角度を広い範囲で調整できるように構成され、特に、超広角に適切に対応できるように形成されている。なお、反射傘本体３と側方反射体５は反射傘６として一体化されている。
【００１０】
反射傘本体３について詳しく説明すると、本体反射面２は、図３（ａ）に示すように、光源１の軸芯１ａに直交する方向の断面形状が略放物線形状に形成され、かつ、図３（ｂ）に示すように、光源１の軸芯に沿う本体反射面２の長手方向の平面視の断面形状が光源１側に向けて中凸状に連続した湾曲状に形成され、かつ、本体反射面２の長手方向の中央部から両側に向けて本体反射面２の放物線形状の断面形状が拡大されるように形成されている。このような反射傘６は、板金材の型成形と曲げ加工によって形成することができる。図示の例では、本体反射面２を型成形によって略放物線形状に形成した後、曲げ加工によって側方反射体５を折曲形成している。なお、側方反射体５には、光源１の反射傘本体３に対する相対的な前後方向の移動、即ち、例えば、図３（ａ）（ｂ）に符号Ｃで示す距離（テレとワイドの間の距離）の移動を許容するための逃がし凹部５ａが形成されている。
【００１１】
このように、本体反射面２の長手方向の平面視の断面形状が光源１側に向けて中凸状に湾曲して形成されるので、光源１を本体反射面２に接近させた時（テレ時）と離間させた時（ワイド時）の光の反射角の変化が大になるため照射角度の調整可能幅が大になり、ワイド時に超広角の照射角度（３５ｍｍフィルムカメラの焦点距離換算で１７ｍｍ程度）を得られるような設計が可能となる。また、テレ時には照射角度を充分に絞り込むことができるため、フレネルレンズを移動させる必要がなくなり、装置を大型化しなくてもよくなる。そして、本体反射面２の長手方向の中央部から両側に向けて放物線形状が拡大されるように形成されているので、ワイド時には、超広角として適切な両側に拡大された配光を得ることができる。また、本体反射面２が連続した湾曲状の曲面に形成されているため、照射角度の幅を無段階連続的に変化させることができる利点もある。
【００１２】
光源１と反射傘６は、駆動機構によって、例えば図３（ａ）（ｂ）に示すように、光軸に沿う方向に互いに相対移動操作され、光源１が一点鎖線で示されるテレ（望遠）の位置と、二点鎖線で示すワイド（超広角）の位置とに移動される。その駆動機構の一例について、テレ時の状態を示す図４（ａ) とワイド時の状態を示す（ｂ）を参照して説明すると、符号７は、反射傘６の両側を保持して前後方向に移動自在な反射傘保持部材で、装置本体側に固定された２本のガイドレール８，８に案内される。９は、光源保持部材で、その中間部に光源１の両側を保持し、下部が装置本体側に揺動自在に枢支されている。
【００１３】
１０は、光源１及び反射傘６からなる発光部を駆動させるためのリードスクリュー付きのモータユニットで、ナット兼駆動用カム１１を上下方向に駆動させる。このナット兼駆動用カム１１の前部に斜めに形成された案内溝１２には反射傘保持部材７の側部に突設された摺動子１３が遊嵌され、その案内溝１２の上縁に形成されたガイドレール１４には光源保持部材９の上部内側に突設された摺動子（符号省略）が移動自在に摺接している。
【００１４】
このような構成により、モータユニット１０のモータの回転によってナット兼駆動用カム１１が上昇すると、反射傘６が後退して光源１が前進し、光源１が反射傘６から離間したテレの状態となる。一方、モータの逆方向の回転によってナット兼駆動用カム１１が下降すると、反射傘６が前進して光源１が後退し、光源１が反射傘６に接近したワイドの状態となる。上述のように、本体反射面２の長手方向の平面視の断面形状が光源１側に向けて中凸状に湾曲して形成されており、かつ、本体反射面２の長手方向の中央部から両側に向けて放物線形状が拡大されるように形成されているので、光源１を反射傘６に最も接近させた状態では、超広角の照射角度を理想的な配光状態で得ることができる。なお、本発明は、発光部の駆動機構について特定するものではなく、上記構成の他、適宜な構成が選択、設計されてよい。
〔実施の形態２〕
図５（ａ）は反射傘の前方から見た斜視図、（ｂ）は長手方向の断面図である。これらの図に示すように、本実施の形態では、本体反射面２が、該本体反射面２の長手方向の中央部で折曲されて該長手方向に直線状となる左本体反射面２１と右本体反射面２が形成されている点が、前実施の形態と異なる。このようにすれば、金型の設計、製作を含めた反射傘本体３の製作が容易となり、より安価に提供することができる。なお、前実施の形態と同一乃至は同等部材については同一符号を付して説明を省略する。また、発光部の駆動機構については図示を省略するが、本発明は、発光部の駆動機構について特定するものではなく、上記構成の他、適宜な構成が選択、設計されてよい。
【産業上の利用可能性】
【００１５】
本発明のストロボ装置は、ワイド時に充分な照射角度（超広角）を得られるので、ズーム機能を備えたカメラ等の照明用として利用することができる。
【００１６】
本発明のストロボ装置は、装置本体の外部に移動部材を設けないため、トラブルの発生を少なくすることができ耐久性が要求されるストロボ装置に好適となる。
【図面の簡単な説明】
【００１７】
【図１】本発明の実施の形態に係るストロボ装置の反射傘の斜視図
【図２】（ａ) は反射傘の平面図、（ｂ）は正面図、（ｃ）は側面図、（ｄ）は背面図
【図３】（ａ) は図２（ｂ）のＡ−Ａ線矢視断面、（ｂ）は図２（ｂ）のＢ−Ｂ線矢視断面
【図４】（ａ) は同ストロボ装置のテレ時の駆動機構を含む要部側面図、（ａ) は同ワイド時の駆動機構を含む要部側面図
【図５】（ａ) は異なる反射傘の斜視図、（ｂ）は長手方向の断面図
【符号の説明】
【００１８】
１  光源
２  本体反射面
３  反射傘本体
４  側方反射面
５  側方反射体
【図１】
2007272029.tif 000003
【図２】
2007272029.tif 000004
【図３】
2007272029.tif 000005
【図４】
2007272029.tif 000006
【図５】
2007272029.tif 000007